【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
遮光材料をロール状感光材料の外周に巻き付けて装着する遮光材料装着方法であって、
長尺の前記遮光材料を、前記ロール状感光材料の長手方向と直交する方向から搬送する第１の搬送工程と、
長尺の前記遮光材料を、前記ロール状感光材料の幅寸法に対応させて所定の形状に切断する工程と、
切断された前記遮光材料を、前記ロール状感光材料との接合位置まで搬送する第２の搬送工程と、
前記遮光材料の端部と前記ロール状感光材料の端部とを接合する工程と、
接合された前記遮光材料を、前記ロール状感光材料の外周面上に巻き取って該遮光材料を該ロール状感光材料に装着する工程と、
を有することを特徴とする感光材料への遮光材料装着方法。
【請求項２】
請求項１記載の方法において、前記切断工程は、前記遮光材料の先端部側の切断と、後端部側の切断とを同時に行うことを特徴とする感光材料への遮光材料装着方法。
【請求項３】
請求項２記載の方法において、先端部側の切断と後端部側の切断とにより形成される前記遮光材料の長さを変更可能であることを特徴とする感光材料への遮光材料装着方法。
【請求項４】
請求項１乃至３のいずれか１項に記載の方法において、長尺の遮光材料を搬送する第１の搬送工程は、当該遮光材料を真空吸着しながら切断位置まで搬送する工程であることを特徴とする感光材料への遮光材料装着方法。
【請求項５】
請求項１乃至４のいずれか１項に記載の方法において、切断された遮光材料を搬送する第２の搬送工程は、当該遮光材料を真空吸着しながら前記ロール状感光材料の幅寸法と実質的に同じになるように送り出す工程であることを特徴とする感光材料への遮光材料装着方法。
【請求項６】
請求項１乃至５のいずれか１項に記載の方法において、前記切断工程は、前記遮光材料の切断されるべき後端部と先端部の近傍を押圧することにより、該遮光材料を引張状態に保持しながら切断することを特徴とする感光材料への遮光材料装着方法。
【請求項７】
請求項１乃至６のいずれか１項に記載の方法において、前記接合工程に次いで、切断された前記遮光材料の幅方向の端部と前記ロール状感光材料の長手方向の端部とを重ね合わせて切断する工程をさらに有することを特徴とする感光材料への遮光材料装着方法。
【請求項８】
請求項７記載の方法において、遮光材料とロール状感光材料の端部を接合する工程に次いで、さらに切断する工程により生じた切断屑の一部を自動的に排出する工程をさらに有することを特徴とする感光材料への遮光材料装着方法。
【請求項９】
遮光材料を、ロール状感光材料の外周に巻き付けて装着する遮光材料装着装置であって、
長尺の前記遮光材料を、前記ロール状感光材料の長手方向と直交する方向から搬送する第１の搬送機構と、
長尺の前記遮光材料を、前記ロール状感光材料の幅寸法に対応して所定の形状に切断する切断機構と、
切断された前記遮光材料を、該遮光材料の前記ロール状感光材料との接合位置まで搬送する第２の搬送機構と、
前記遮光材料の端部と前記ロール状感光材料の端部とを接合する機構と、
接合された前記遮光材料を、前記ロール状感光材料の外周面上に巻き取って該遮光材料を該ロール状感光材料に装着する機構と、
を有することを特徴とする感光材料への遮光材料装着装置。
【請求項１０】
請求項９記載の装置において、前記切断機構は一組の切断刃を有し、一方の切断刃で先行する前記遮光材料の後端部を、他方の切断刃で後続する前記遮光材料の先端部を同時に切断して形成することを特徴とする感光材料への遮光材料装着装置。
【請求項１１】
請求項１０記載の装置において、前記切断機構の一組の切断刃は固定刃であり、該切断機構はさらに前記遮光材料を該固定刃に押圧して切断する手段を有することを特徴とする感光材料への遮光材料装着装置。
【請求項１２】
請求項１１記載の装置において、前記切断機構が、前記遮光材料を吸引保持するサクションボックスと、前記遮光材料を幅方向に切断するように配置された固定刃と、該固定刃に対し前記遮光材料を押さえる押さえ枠と、前記遮光材料の幅方向に走行することにより前記遮光材料を前記固定刃に押しつけて切断する押圧ローラとを有することを特徴とする感光材料への遮光材料装着装置。
【請求項１３】
請求項１２記載の装置において、前記切断機構は、前記固定刃よりも押圧ローラ側に突出する弾性部材を有し、前記押圧ローラは前記固定刃側に変位することにより前記弾性部材を圧縮させながらこの弾性部材から突出する前記固定刃との間で遮光材料を切断することを特徴とする感光材料への遮光材料装着装置。
【請求項１４】
請求項９記載の装置において、長尺の前記遮光材料を前記ロール状感光材料の長手方向と直交する方向から搬送する機構が、該遮光材料の切断長さを変更する手段を有することを特徴とする感光材料への遮光材料装着装置。
【請求項１５】
請求項９記載の装置において、切断された前記遮光材料の幅方向の端部と前記ロール状感光材料の長手方向の端部とを重ね合わせて切断する切断機構をさらに有することを特徴とする感光材料への遮光材料装着装置。
【請求項１６】
請求項１５記載の装置において、遮光材料とロール状感光材料の端部を接合する工程に次いで、さらに切断する工程により生じた切断屑の一部を自動的に排出するための切断屑排出機構を有することを特徴とする感光材料への遮光材料装着装置。
【請求項１７】
請求項１６記載の装置において、切断された前記遮光材料の幅方向端部と前記ロール状感光材料の長手方向の端部とを重ね合わせて切断する切断機構に付設されて前記遮光材料または感光材料の切断屑を排出する切断屑排出機構を有し、該切断屑排出機構が、少なくとも前記切断屑を吸引保持するサクションボックスと、チャック機構と、ストッカーとを有することを特徴とする感光材料への遮光材料装着装置。
【請求項１８】
請求項１５記載の装置において、搬送された前記遮光材料の幅方向の端部と前記ロール状感光材料の長手方向の端部とを重ね合わせて切断する切断機構と、切断により突き合わせ状態にある前記遮光材料と前記ロール状感光材料とを接合する機構とが、
搬送された前記遮光材料の端部と前記ロール状感光材料の端部とを所定位置に吸引保持する複数のサクションボックスと、
該遮光材料の幅方向端部の上に前記ロール状感光材料の長さ方向の端部が切断代分重ね合わされた部分を所定の切断線に沿って走行して切断する回転上刃および前記複数のサクションボックス間に配設された下刃と、
切断された後、突き合わせ状態にある前記遮光材料と前記ロール状感光材料とを吸引保持しながら突き合わせ部分を接合する接合手段と、
を有することを特徴とする感光材料への遮光材料装着装置。
【請求項１９】
請求項１８記載の装置において、前記回転上刃の前後に前記遮光材料を押圧調整するガイドローラが設けられ、前記回転上刃の側圧を調整する側圧調整手段が設けられることを特徴とする感光材料への遮光材料装着装置。
【請求項２０】
請求項９記載の装置において、前記第１の搬送機構が少なくともサクションドラムを有し、該サクションドラムは回転数制御手段により回転数を制御されて前記ロール状感光材料の幅寸法に対応する所定の長さの前記遮光材料を引き出すことを特徴とする感光材料への遮光材料装着装置。
【請求項２１】
請求項９記載の装置において、前記第１の搬送機構はサクションドラムとこのサクションドラムに摺接するサクションベルトとを有し、前記サクションドラムはサーボモータの駆動軸と連結され、前記サクションベルトは前記サクションドラムと同期して駆動されることを特徴とする感光材料への遮光材料装着装置。
【手続補正２】
【補正対象書類名】明細書
【補正対象項目名】００５２
【補正方法】変更
【補正の内容】
【００５２】
このような状態で図示しないボールねじを介して回転刃機構６８が矢印Ｘ1方向へと移動する（図９参照）。このとき、予め前記側圧調整機構により下刃６６との間隙を適正に調整された回転刃７８は、モータ８６、回転力伝達機構８７、軸８５、この軸８５と一体的な歯車７６、これに歯合する歯車７７の回転に伴って回転して、第１のローラ７５ａ、第２のローラ７５ｂに案内されながら移動する（図１１参照）。その間、シリンダ７０の押圧力により該回転刃７８は第１のアーム７４ａ、第２のアーム７４ｂと一体的に下方へと押圧され、且つシリンダ７９が付勢されて軸方向へと移動して下刃６６の直上に至り、さらなる回転刃７８の下降動作により、下刃６６との協働作用下に感光性フイルム５と遮光用フイルム６ａの両者を一体的に切断する。その際、第１のローラ７５ａ、第２のローラ７５ｂは感光性フイルム５と遮光用フイルム６ａとを一体的に押し付けて感光性フイルム５と遮光用フイルム６ａのずれ、たわみ等をなくす。この結果、図１２に示すように、遮光用フイルム６ａの上側の一端部と感光性フイルム５の下側の一端部は切断屑６ｂ、５ｂとなる。好適には、その際、遮光用フイルム６ａの上側の、感光性フイルム５の切断屑５ｂは手を用いて取り除いておく。切断工程終了後にシリンダ７９が付勢され、回転刃７８は原位置に復帰すべくコイルスプリングの弾発力に抗して側方へ移動し、また、シリンダ７０の付勢下に全体として上昇する。そして、回転刃機構６８が矢印Ｘ2方向へと退動作を行う。この場合、シリンダ７０を共に付勢して回転刃７８を予め上昇させておくとよい。


【手続補正３】
【補正対象書類名】明細書
【補正対象項目名】００５３
【補正方法】変更
【補正の内容】
【００５３】
次に、矢印Ｘ2方向への回転刃機構６８の退動作に連動して、該回転刃機構６８と同一駆動源により駆動されるテーピング機構１００が矢印Ｘ2方向へと移動することによって、前記遮光用フイルム６ａと感光性フイルム５の切断された端部が接合テープ１０６を用いて接合される。換言すれば、テーピング機構１００はガイド部材１０４に沿って矢印Ｘ2方向へと移動する。その際、接合テープロール１０８から接合テープ１０６が繰り出され、この接合テープ１０６は補助ローラ１１２ａ、１１２ｂを通りシリンダ１１６によって押圧されながらその下流で接合テープ本体１０６ａと剥離紙１０６ｂとに分離され、剥離紙１０６ｂは補助ローラ１１２ｅを通り剥離紙ロール１１０へと巻回される。一方、補助ローラ１１２ｃ、１１２ｄを通過した接合テープ本体１０６ａは押圧ローラ１１８に至り、この押圧ローラ１１８が軸１２０を中心に揺動し、感光性フイルム５と遮光用フイルム６ａの突き合わせ部分にこの接合テープ本体１０６ａを押圧する。そして、ガイド部材１０４に沿って移動することにより、押圧ローラ１２４ａ、１２４ｂがこの接合テープ本体１０６ａをしごきながら前記感光性フイルム５と遮光用フイルム６ａに押圧し、両者を一体化する。そして、端部に到達することによってテープ用カッタ１２６が付勢され、前記接合テープ本体１０６ａが適当な個所で切断されるに至る。このように、接合テーピング機構１００が前記突き合わせ部に貼着され、感光性フイルム５と遮光用フイルム６ａとが一体化する。次に、前記遮光用フイルム６ａの接合された感光性フイルム５は、ロール本体４側に巻き取られる。


【手続補正４】
【補正対象書類名】明細書
【補正対象項目名】００５４
【補正方法】変更
【補正の内容】
【００５４】
第２の切断機構１８による切断終了時からテーピング機構１００が進動作するまでの間に、遮光用フイルム６ａの切断屑６ｂが排出される。すなわち、第３のサクションボックス６４が図示しない昇降手段によって下方へと移動し、このとき、遮光用フイルム６ａの切断屑６ｂを吸引しながら引き下げる。次いで、チャック機構９０ａ、９０ｂが矢印Ｙ2方向へと進動作し、第３のサクションボックス６４に吸着されている遮光用フイルム６ａの切断屑６ｂの先端部をチャックする。そして、チャック機構９０ａ、９０ｂが矢印Ｙ1方向へと退動作すると、光検出手段９２ａ、９２ｂがこの遮光用フイルム６の切断屑６ｂを把持していることを検知し、さらに、チャック機構９０ａ、９０ｂが矢印Ｙ1方向へと退動作すると、棒体９４ａ、９４ｂがこの遮光用フイルム６の切断屑６ｂに当接し、この切断屑６ｂは、図１２に示すガイド板９６を経てストッカ９８へと落下するに至る。


【手続補正５】
【補正対象書類名】図面
【補正対象項目名】図１３
【補正方法】変更
【補正の内容】
【図１３】
1999174629.tif 000001